【手続補正書】
【提出日】令和3年1月4日(2021.1.4)
【手続補正１】
【補正対象書類名】明細書
【補正対象項目名】０１２４
【補正方法】変更
【補正の内容】
【０１２４】
本開示の主題をその特定の実施形態を参照して詳細に説明したが、本明細書に開示された様々な詳細は、本明細書に付随する図面の各々に特定の要素が示されている場合であっても、これらの詳細が本明細書に記載された様々な実施形態の必須構成要素である要素に関係することを意味するものではないことに留意すべきである。また、添付の特許請求の範囲で定義される実施形態を含むが、これらに限定されない本開示の範囲から逸脱することなく、修正および変更が可能であることは明らかである。より具体的には、本開示のいくつかの態様が特に有利であると特定されるが、本開示は必ずしもこれらの態様に限定されないことが考えられる。
以下、本発明の好ましい実施形態を項分け記載する。
実施形態１
脱瀝油を製造するプロセスであって、
混合装置内で超臨界水流を加圧加熱された炭化水素系組成物と化合させて化合供給流を生成することと、
水の臨界温度より高い温度と水の臨界圧力より高い圧力とで作動する超臨界反応器に前記化合供給流を導入して改良生成物を生成することと、
前記改良生成物を減圧することと、
前記減圧された改良生成物を、少なくとも一つの軽質留分と、前記軽質留分より高いアスファルテン濃度を有する少なくとも一つの重質留分とに分離することと、
前記軽質留分を分離器に送って、前記軽質留分を少なくとも一つのガス留分、一つのパラフィン留分、および一つの水留分に分離することと、
前記パラフィン留分を前記重質留分と化合させてアスファルテンを除去することによって、脱瀝油を製造することと、
を含む脱瀝油を製造するプロセス。
実施形態２
前記重質留分が前記軽質留分より少なくとも２５％〜７５％高いアスファルテン濃度を有する、実施形態１に記載のプロセス。
実施形態３
前記軽質留分中の炭化水素が３０°以上のアメリカ石油協会（ＡＰＩ）比重を有し、前記重質留分中の炭化水素が３０°未満のＡＰＩ比重を有する、実施形態１に記載のプロセス。
実施形態４
前記水留分を水処理装置に送って供給水留分を製造することをさらに含む、実施形態１に記載のプロセス。
実施形態５
前記減圧された改良生成物を分離することは、前記減圧された改良生成物を少なくとも一つの蒸留装置またはフラッシュドラムに送ることを含む、実施形態１に記載のプロセス。
実施形態６
前記パラフィン留分を前記重質留分と化合させることは抽出器を用いて実行される、実施形態１に記載のプロセス。
実施形態７
前記抽出器は内部流体の温度を５０℃〜２５０℃に制御する温度制御装置を含む、実施形態６に記載のプロセス。
実施形態８
前記ガス留分は苛性処理装置に送られて燃料ガスを生成する、実施形態１に記載のプロセス。
実施形態９
前記パラフィン留分を蒸留装置に送って少なくとも軽質パラフィン留分および重質パラフィン留分を製造することと、
前記軽質パラフィン留分を前記重質留分と化合させて前記脱瀝油留分を製造することと、をさらに含む、実施形態１に記載のプロセス。
実施形態１０
脱瀝油を製造するプロセスであって、以下を含む：
混合装置内で超臨界水流を加圧加熱された炭化水素系組成物と化合させて化合供給流を生成することと、
水の臨界温度より高い温度と水の臨界圧力より高い圧力とで作動する超臨界反応器に前記化合供給流を導入して改良生成物を生成することと、
前記改良生成物を減圧することと、
前記減圧された改良生成物を少なくとも一つの軽質留分および前記軽質留分より高いアスファルテン濃度を有する少なくとも一つの重質留分に分離することと、
前記軽質留分を油／水分離器に送って脱水軽質留分および水留分を製造することと、
前記脱水軽質留分を蒸留装置に送って前記脱水軽質留分を少なくとも一つのガス留分、一つの脱水パラフィン留分、および一つの脱水重油留分に分離することと、
前記脱水パラフィン留分を前記重質留分と化合させて少なくとも一つの脱瀝油留分を製造すること。
実施形態１１
前記軽質留分中の炭化水素が前記重質留分中の炭化水素より大きいＡＰＩ比重を有する、実施形態１０に記載のプロセス。
実施形態１２
前記重質留分が前記軽質留分より少なくとも２５％〜７５％高いアスファルテン濃度を有する、実施形態１０に記載のプロセス。
実施形態１３
前記軽質留分中の炭化水素が３０°以上のＡＰＩ比重を有し、前記重質留分中の炭化水素が３０°未満のＡＰＩ比重を有する、実施形態１０に記載のプロセス。
実施形態１４
前記脱水軽質留分の含水量が１重量％以下である、実施形態１０に記載のプロセス。
実施形態１５
前記脱水軽質留分の粘度が３８０センチストークス（ｃＳｔ）以下である、実施形態１０に記載のプロセス。
実施形態１６
前記水留分を水処理装置に送って供給水留分を製造することをさらに含む、実施形態１０に記載のプロセス。
実施形態１７
前記減圧された改良生成物を分離することが前記減圧された改良生成物を少なくとも一つの蒸留装置またはフラッシュドラムに送ることを含む、実施形態１０に記載のプロセス。
実施形態１８
前記脱水パラフィン留分と前記重質留分は抽出器で化合する、実施形態１０に記載のプロセス。
実施形態１９
前記抽出器は内部流体の温度を５０℃〜２５０℃に制御する温度制御装置を含む、実施形態１８に記載のプロセス。
実施形態２０
前記脱瀝留分を生成物タンクに送って前記脱水重油留分と化合させてオイル生成物を生成する、実施形態１０に記載のプロセス。
実施形態２１
前記ガス留分を苛性処理装置に送って燃料ガスを生成する、実施形態１０に記載のプロセス。
【手続補正２】
【補正対象書類名】特許請求の範囲
【補正対象項目名】全文
【補正方法】変更
【補正の内容】
【特許請求の範囲】
【請求項１】
脱瀝油を製造するプロセスであって、
混合装置内で超臨界水流を加圧加熱された炭化水素系組成物と化合させて化合供給流を生成することと、
水の臨界温度より高い温度と水の臨界圧力より高い圧力とで作動する超臨界反応器に前記化合供給流を導入して改良生成物を生成することと、
前記改良生成物を減圧することと、
前記減圧された改良生成物を、少なくとも一つの軽質留分と、前記軽質留分より高いアスファルテン濃度を有する少なくとも一つの重質留分とに分離することと、
前記軽質留分を分離器に送って、前記軽質留分を少なくとも一つのガス留分、一つのパラフィン留分、および一つの水留分に分離することと、
前記パラフィン留分を前記重質留分と化合させてアスファルテンを除去することによって、脱瀝油を製造することと、
を含む脱瀝油を製造するプロセス。
【請求項２】
前記重質留分が前記軽質留分より少なくとも２５％〜７５％高いアスファルテン濃度を有する、請求項１に記載のプロセス。
【請求項３】
前記軽質留分中の炭化水素が３０°以上のアメリカ石油協会（ＡＰＩ）比重を有し、前記重質留分中の炭化水素が３０°未満のＡＰＩ比重を有する、請求項１または２に記載のプロセス。
【請求項４】
前記水留分を水処理装置に送って供給水留分を製造することと、
前記ガス留分を苛性処理装置に送って燃料ガスを生成することと、
をさらに含む、請求項１から３のいずれか１項に記載のプロセス。
【請求項５】
前記減圧された改良生成物を分離することは、前記減圧された改良生成物を少なくとも一つの蒸留装置またはフラッシュドラムに送ることを含む、請求項１から４のいずれか１項に記載のプロセス。
【請求項６】
前記パラフィン留分を前記重質留分と化合させることは抽出器を用いて実行され、
前記抽出器は、内部流体の温度を５０℃〜２５０℃に制御する温度制御装置を含む、請求項１から５のいずれか１項に記載のプロセス。
【請求項７】
前記パラフィン留分を蒸留装置に送って少なくとも軽質パラフィン留分および重質パラフィン留分を製造することと、
前記軽質パラフィン留分を前記重質留分と化合させて前記脱瀝油留分を製造することと、をさらに含む、請求項１から６のいずれか１項に記載のプロセス。
【請求項８】
脱瀝油を製造するプロセスであって、
混合装置内で超臨界水流を加圧加熱された炭化水素系組成物と化合させて化合供給流を生成することと、
水の臨界温度より高い温度と水の臨界圧力より高い圧力とで作動する超臨界反応器に前記化合供給流を導入して改良生成物を生成することと、
前記改良生成物を減圧することと、
前記減圧された改良生成物を少なくとも一つの軽質留分および前記軽質留分より高いアスファルテン濃度を有する少なくとも一つの重質留分に分離することと、
前記軽質留分を油／水分離器に送って脱水軽質留分および水留分を製造することと、
前記脱水軽質留分を蒸留装置に送って前記脱水軽質留分を少なくとも一つのガス留分、一つの脱水パラフィン留分、および一つの脱水重油留分に分離することと、
前記脱水パラフィン留分を前記重質留分と化合させて少なくとも一つの脱瀝油留分を製造することと、
を含む脱瀝油を製造するプロセス。
【請求項９】
前記軽質留分中の炭化水素が前記重質留分中の炭化水素より大きいＡＰＩ比重を有し、
前記重質留分が前記軽質留分より少なくとも２５％〜７５％高いアスファルテン濃度を有する、請求項８に記載のプロセス。
【請求項１０】
前記軽質留分中の炭化水素が３０°以上のＡＰＩ比重を有し、前記重質留分中の炭化水素が３０°未満のＡＰＩ比重を有する、請求項８または９に記載のプロセス。
【請求項１１】
前記脱水軽質留分の含水量が１重量％以下であり、
前記脱水軽質留分の粘度が３８０センチストークス（ｃＳｔ）以下である、請求項８から１０のいずれか１項に記載のプロセス。
【請求項１２】
前記水留分を水処理装置に送って供給水留分を製造することと、
前記ガス留分を苛性処理装置に送って燃料ガスを生成することと、
をさらに含む、請求項８から１１のいずれか１項に記載のプロセス。
【請求項１３】
前記減圧された改良生成物を分離することが前記減圧された改良生成物を少なくとも一つの蒸留装置またはフラッシュドラムに送ることを含む、請求項８から１２のいずれか１項に記載のプロセス。
【請求項１４】
前記脱水パラフィン留分と前記重質留分は抽出器で化合し、
前記抽出器は内部流体の温度を５０℃〜２５０℃に制御する温度制御装置を含む、請求項８から１３のいずれか１項に記載のプロセス。
【請求項１５】
前記脱瀝留分を生成物タンクに送って前記脱水重油留分と化合させてオイル生成物を生成する、請求項８から１４のいずれか１項に記載のプロセス。